(57)【要約】【課題】肌の水分量を正確に検出して、肌面への光照射制御を的確に行い得る美容装置を提供する。【解決手段】ミストを生成して施術部に噴出するミスト生成装置５，７，１０と、施術部に光を照射する光源部１１と、施術部から反射される光を検知して、施術部の水分量を検知する検知部と、検知部で検知した水分量に基づいて光源部の動作を制御する制御部８とを備えた美容装置において、光源部１１には、検知部に対するノイズ成分の出力を阻止するノイズカット装置１３を設けた。【選択図】図２
2012223419.tif 000002
【特許請求の範囲】
【請求項１】
ミストを生成して施術部に噴出するミスト生成装置と、
前記施術部に光を照射する光源部と、
前記施術部から反射される光を検知して、前記施術部の水分量を検知する検知部と、
前記検知部で検知した水分量に基づいて前記光源部の動作を制御する制御部と
を備えた美容装置において、
前記光源部には、前記検知部に対するノイズ成分の出力を阻止するノイズカット装置を設けたことを特徴とする美容装置。
【請求項２】
請求項１に記載の美容装置において、
前記制御部は、前記ミストの噴出停止から所定時間後に、前記光源部の動作を停止させることを特徴とする美容装置。
【請求項３】
請求項１又は２に記載の美容装置において、
前記制御部は、前記検知部の検知信号に基づいて、前記施術部の水分量があらかじめ設定した所定値となったとき前記光源部の動作を停止することを特徴とする美容装置。
【請求項４】
請求項１乃至３のいずれか１項に記載の美容装置において、
前記検知部を、前記光源部より前記施術部側に位置させたことを特徴とする美容装置。
【請求項５】
請求項１乃至４のいずれか１項に記載の美容装置において、
前記制御部は、前記検知部の検出信号に基づいて前記施術部の水分量の一定値以上の変化を報知する報知手段を備えたことを特徴とする美容装置。
【発明の詳細な説明】
【技術分野】
【０００１】
この発明は、ミストと光による刺激とで肌面のスキンケアを行うようにした美容装置に関するものである。
【背景技術】
【０００２】
従来、水等の液体をミスト化して使用者の肌面に向けて噴霧し、肌に張りや潤いを与える美容装置が提案されている。
特許文献１には、液体を加熱して発生させたミストを噴出口から使用者の肌に向けて噴射するとともに、肌に光を照射して、美肌効果を確保するようにした美容装置が開示されている。
【０００３】
特許文献２には、ミストの発生が終了した後にも、所定時間が経過するまで、肌に光を照射して、肌面の温度低下を防止するようにしたミスト発生装置が開示されている。
特許文献３には、皮膚の水分量を検出した水分量データに基づいて光源部からの光出力を制御するようにした美容器具が開示されている。
【先行技術文献】
【特許文献】
【０００４】
【特許文献１】特開２００７−３３０６９０号公報
【特許文献２】特開２００９−２９７０８８号公報
【特許文献３】特開２００９−２８２７５号公報
【発明の概要】
【発明が解決しようとする課題】
【０００５】
特許文献１に開示された美容装置では、ミストの停止と同時に光の照射が停止されるため、光照射の停止後は、肌に付着している水分の気化作用により皮膚温度が急激に低下する。この結果、充分な美肌効果を得ることができない。
【０００６】
特許文献２に開示されたミスト発生装置では、ミストの発生が終了した後にも、所定時間経過するまで肌に光を照射するので、ミストの噴霧終了直後の皮膚温度の急激な低下を防止することはできる。しかし、ミストの噴霧終了後の光の照射時間が一定であるので、肌の水分量が低下した後に光照射が継続されると、肌が乾燥してしまう。また、肌にミストが付着している状態で光照射が停止されると、皮膚温度が急激に低下するという問題点がある。
【０００７】
特許文献３に開示された美容器具では、水分量センサに高周波電流を流すことで、皮膚の乾燥度合いを検出し、その検出結果に基づいて照射光の出力を制御している。しかし、皮膚の角層のコンダクタンスあるいはキャパシタンスを測定して皮膚の乾燥度合いを検出するため、検出精度を確保することが難しい。
【０００８】
この発明の目的は、肌の水分量を正確に検出して、肌面への光照射制御を的確に行い得る美容装置を提供することにある。
【課題を解決するための手段】
【０００９】
上記課題を解決するために、本発明の美容装置は、ミストを生成して施術部に噴出するミスト生成装置と、前記施術部に光を照射する光源部と、前記施術部から反射される光を検知して、前記施術部の水分量を検知する検知部と、前記検知部で検知した水分量に基づいて前記光源部の動作を制御する制御部とを備えた美容装置において、前記光源部には、前記検知部に対するノイズ成分の出力を阻止するノイズカット装置を設けたことを特徴とする。
【００１０】
また、上記構成において、前記制御部は、前記ミストの噴出停止から所定時間後に、前記光源部の動作を停止させることが好ましい。
また、上記構成において、前記制御部は、前記検知部の検知信号に基づいて、前記施術部の水分量があらかじめ設定した所定値となったとき前記光源部の動作を停止することが好ましい。
【００１１】
また、上記構成において、前記検知部を、前記光源部より前記施術部側に位置させることが好ましい。
また、上記構成において、前記制御部は、前記検知部の検出信号に基づいて前記施術部の水分量の一定値以上の変化を報知する報知手段を備えることが好ましい。
【発明の効果】
【００１２】
本発明によれば、肌の水分量を正確に検出して、肌面への光照射制御を的確に行い得る美容装置を提供することができる。
【図面の簡単な説明】
【００１３】
【図１】第一の実施形態の美容装置を示す概略図である。
【図２】第一の実施形態の美容装置を示す概略図である。
【図３】第一の実施形態の美容装置の動作を示すフローチャートである。
【図４】第二の実施形態の美容装置の動作を示すフローチャートである。
【図５】皮膚温度の推移を示す説明図である。
【図６】皮膚温度と水分量の推移を示す説明図である。
【図７】皮膚温度の推移を示す説明図である。
【発明を実施するための形態】
【００１４】
（第一の実施形態）
以下、この発明を具体化した第一の実施形態を図面に従って説明する。図１及び図２に示す美容装置は、臼状の外形を備えた本体１の一側上面にタンク収容部２が開口され、そのタンク収容部２に給水タンク３が着脱可能に収容されている。また、給水タンク３は本体１の上面とほぼ面一となるように前記タンク収容部２に収容される。
【００１５】
前記タンク収容部２に収容された給水タンク３の下端部には給水管４の一端が接続され、その給水管４の他端は前記本体１内の中央下部に配設されるボイラ室５の下部に接続されている。そして、給水タンク３からボイラ室５にミスト溶液６が供給されるようになっている。
【００１６】
前記ボイラ室５の内側面にはヒーター７が取着され、前記本体１内においてボイラ室５の側方には基板上に制御回路を搭載した制御部８が配設されている。そして、制御部８の動作によりヒーター７が作動すると、ボイラ室５内のミスト溶液６が加熱されてミストが生成される。
【００１７】
前記ボイラ室５の上部にはミスト案内管９の一端が接続されている。そして、ミスト案内管９は二股状に分岐されて、前記本体１の上面に開口される一対のミスト吐出口１０に接続されされている。そして、ボイラ室５内で生成されたミストは、ミスト案内管９を経て、各ミスト吐出口１０から噴出されるようになっている。
【００１８】
また、前記ミスト吐出口１０は、前記本体１の上面において、使用者の肌面（施術部）に向かってミストを噴出する角度に開口されている。
前記本体１の上面において、前記ミスト吐出口１０に隣接する位置には、一対の光源部１１がそれぞれ設けられている。光源部１１は、前記ミスト吐出口１０の開口方向と同方向に光を照射するように配設されている。
【００１９】
前記光源部１１の間には、肌の水分量を検知する検知部１２が前記光源部１１より使用者の肌面に近い位置に設けられている。この検知部１２は、肌面から反射される光の中から水分による反射光の波長を検知可能としたものであり、その検出信号が前記制御部８に出力される。
【００２０】
前記光源部１１にはフィルター１３が設けられている。そして、フィルター１３は前記制御部８による制御に基づいて、光源部１１から照射される光の中から上記水分量検知の際にノイズとなる波長の光を遮断するように動作する。水分量検知の際にノイズとなる波長は、例えば水分による反射光の波長の高調波成分である。
【００２１】
前記本体１の上面には電源スイッチ１４が配設されている。制御部８は、電源スイッチ１４のオン操作に基づいて、前記ヒーター７、光源部１１、検知部１２及びフィルター１３をオンさせるとともに、前記ヒーター７、光源部１１、検知部１２及びフィルター１３のオフ動作を制御する。
【００２２】
次に、上記のように構成された美容装置の作用を図３に従って説明する。
電源が投入されると（ステップ１）、制御部８の動作によりヒーター７がオンされて、ボイラ室５内でミストが生成される。そして、使用者がミスト吐出口１０の近傍に肌面を晒すと、ミスト吐出口１０から噴出されるミストが肌面に供給される（ステップ２）。
【００２３】
また、光源部１１がオンされて、肌面に光が照射される（ステップ３）。すると、肌面にミストが供給されるとともに、肌面の皮膚温度が美容効果を確保し得る温度に維持される。
【００２４】
次いで、フィルター１３がオンされ、光源部１１から照射される光の中から水分量検知の際にノイズとなる波長の光が遮断される（ステップ４）。
また、検知部１２がオンされて、肌面の水分量を検知し、その検知信号が制御部８に出力される。
【００２５】
このような動作中に電源がオフされると（ステップ６）、制御部８はヒーター７をオフさせる（ステップ７）。すると、ミスト吐出口１０からのミストの噴出が停止されるので、図６に示すように、肌面の水分量Ｙは時間の経過とともに徐々に低下し、制御部８は検知部１２で肌面の水分量を検知し続ける。
【００２６】
一方、光源部１１はオン状態に維持され、肌面についているミストが徐々に蒸発して肌面の水分量が低下し、肌面の温度Ｓｔが徐々に上昇する。
そして、肌面の水分量があらかじめ設定された水分量Ｙ１，Ｙ２の範囲まで低下すると（ステップ８）、制御部８は光源部１１をオフし（ステップ９）、検知部１２及びフィルター１３をオフさせて動作を終了する。
【００２７】
このような動作により、例えば図５に示すように、時刻ｔ１でミストの噴出停止動作と同時に光照射を停止した場合の皮膚温度Ｓｔ１は、時刻ｔ１を境に急激に低下するが、時刻ｔ１以降でも光照射が継続された場合、皮膚温度Ｓｔ２は急激には低下しない。
【００２８】
上記のような美容装置では、次に示す効果を得ることができる。
（１）肌面に対しミストを噴出しながら光を照射することができるので、使用者の肌に張りや潤いを与えることができる。
（２）電源をオフしてミストの噴出を停止した後、肌面の水分量が一定の範囲内に低下するまでは、光を照射し続けることができる。従って、電源をオフしたとき、皮膚温度の急激な低下を防止して、充分な美肌効果を確保することができる。
（３）光源部１１からフィルター１３を介して光照射を行うので、水分量検知の際にノイズとなる波長の光を除去することができる。従って、水分量の検知精度を向上させることができる。
（第二の実施形態）
図４は、美容装置の第二の実施形態の動作を示す。この実施形態は、光源部１１と肌面との距離を一定値以内に保持するために報知手段を備えたものである。この報知手段は、前記検知部１２により検出された肌面の水分量が急激に変化したとき、光源部１１と肌面との距離が不適当であることを検出し、前記光源部１１を点滅させて報知する機能が制御部８に備えられる。その他の構成は、前記第一の実施形態と同様である。
【００２９】
図４は、この実施形態の美容装置の動作を示す。同図において、ステップ１１〜ステップ１５の動作は第一の実施形態と同様である。
ステップ１６では、検知部１２の検知信号に基づいて肌面の水分量の変化を検知している。そして、図７に示すように、肌面の温度Ｓｔが急激に上昇するＡ点では、肌面が光源部１１に対し近づきすぎているので、制御部８は検知部１２により肌面の水分量が急激に減少することを検出して、光源部１１を点滅させる（ステップ１７）。
【００３０】
また、肌面の温度が急激に低下するＢ点では、肌面が光源部１１から離れすぎているので、制御部８は検知部１２により肌面の水分量が急激に増大することを検出して、光源部１１を点滅させる（ステップ１７）。
【００３１】
このような動作により、肌面と光源部１１との距離が適切となると、光源部１１の点滅動作が停止する。
ステップ１８で電源がオフされた後のステップ１９〜ステップ２１の動作は、第一の実施形態のステップ６〜ステップ９の動作と同様である。
【００３２】
この実施形態の美容装置では、第一の実施形態の美容装置で得られた効果に加えて、次に示す効果を得ることができる。
（１）肌面と光源部１１の距離が近すぎる場合、あるいは遠すぎる場合に、光源部１１を点滅させて報知することができる。従って、肌面の施術時に、肌面とミスト吐出口１０及び光源部１１との距離を一定の範囲内に容易に維持することができる。
【００３３】
上記実施形態は、以下の態様で実施してもよい。
・第二の実施形態において、報知手段は光源部１１の点滅動作以外に、音声発生装置等を別途設けてもよい。
・電源スイッチ１４のオフ操作から所定時間が経過した後に、光源部１１を自動的にオフさせる機能を制御部８に備えてもよい。
【符号の説明】
【００３４】
５…ミスト生成装置（ボイラ室）、７…ミスト生成装置（ヒーター）、８…制御部、１０…ミスト生成装置（ミスト吐出口）、１１…光源部、１２…検知部、１３…ノイズカット装置（フィルター）。
【図１】
2012223419.tif 000003
【図２】
2012223419.tif 000004
【図３】
2012223419.tif 000005
【図４】
2012223419.tif 000006
【図５】
2012223419.tif 000007
【図６】
2012223419.tif 000008
【図７】
2012223419.tif 000009